(57)【要約】【課題】圧縮機の防音性能の低下を抑止する。【解決手段】底板と、底板の上に配置され、冷媒を圧縮する圧縮機と、圧縮機の側面に巻き付けられる防音性を有するシート部材と、圧縮機に巻き付けられたシート部材の上端に形成される開口の内側に嵌め込まれる防音性を有する蓋体とを具備し、圧縮機に巻き付けられたシート部材の内面に、開口の内側に嵌め込まれた蓋体の上面の周縁部を、一定の高さ位置で上から押さえる突出部が設けられている。【選択図】図４
2015187507.tif 000002
【特許請求の範囲】
【請求項１】
底板と、
前記底板の上に配置され、冷媒を圧縮する圧縮機と、
前記圧縮機の側面に巻き付けられる防音性を有するシート部材と、
前記圧縮機に巻き付けられた前記シート部材の上端に形成される開口の内側に嵌め込まれる防音性を有する蓋体とを具備し、
前記圧縮機に巻き付けられた前記シート部材の内面に、前記開口の内側に嵌め込まれた前記蓋体の上面の周縁部を上から押さえる突出部が設けられている
空気調和機の室外機。
【請求項２】
請求項１に記載の空気調和機の室外機であって、
前記シート部材は、左右の端部同士が重なるように巻き付けられ、
前記左右の端部同士の重なりにおいて外側にくる一方の端部の重ね代の部分を少なくとも除いて前記突出部が前記シート部材の前記内周に設けられている
空気調和機の室外機。
【発明の詳細な説明】
【技術分野】
【０００１】
本発明は、空気調和機の室外機に係り、特に圧縮機の防音構造を備える室外機に関する。
【背景技術】
【０００２】
従来、空気調和機の室外機内の圧縮機の騒音対策として、圧縮機を防音材で覆うことが行われている。
【０００３】
図９は、かかる従来の防音材による圧縮機の防音構造を示す図である。
圧縮機６０には防音材シート６１が巻き付けられる。防音材シート６１は圧縮機６０の全側面を取り囲むように巻き付けられるため、圧縮機６０の上方は同じ防音材からなる蓋体６２によって塞がれる。この蓋体６２は、圧縮機６０に巻き付けられた防音材シートの上端面に載るようにして配置される（例えば特許文献１参照）。
【先行技術文献】
【特許文献】
【０００４】
【特許文献１】特開２０１３−７２５５９号公報
【発明の概要】
【発明が解決しようとする課題】
【０００５】
しかしながら、かかる従来の防音材シートを用いた圧縮機の騒音対策では、防音材シートの上端が水平となるように巻き付けないと、防音材シートの上端面と蓋体の縁端部の下面との間に隙間が生じ、防音性能が低下するという問題がある。
【０００６】
また、蓋体は、圧縮機に巻き付けられた防音材シートの上端面で支持されているだけであるため、防音材シートの上端が水平となっていても、室外機の輸送中や運転中の振動などにより蓋体がずれて隙間が発生してしまうことがあった。
【０００７】
以上のような事情に鑑み、本発明の目的は、圧縮機の防音性能の低下を抑止することのできる空気調和機の室外機を提供することにある。
【課題を解決するための手段】
【０００８】
上記目的を達成するため、本発明の一形態に係る空気調和機の室外機は、底板と、前記底板の上に配置され、冷媒を圧縮する圧縮機と、前記圧縮機の側面に巻き付けられる防音性を有するシート部材と、前記圧縮機に巻き付けられた前記シート部材の上端に形成される開口の内側に嵌め込まれる防音性を有する蓋体とを具備し、前記圧縮機に巻き付けられた前記シート部材の内面に、前記開口の内側に嵌め込まれた前記蓋体の上面の周縁部を上から押さえる突出部が設けられている。
【０００９】
本発明では、圧縮機に巻き付けられた防音性を有するシート部材の内側に設けられた突出部によって、蓋体の上面の周縁部が上から押さえているので、蓋体の浮き上がりを抑止することができる。これによって、室外機の輸送中や運転中の振動などによって蓋体がずれることがなくなり、蓋体とシート部材との隙間の発生を防止でき、防音性能の低下を防止できる。
【００１０】
また、本発明において、前記シート部材は、左右の端部同士が重なるように巻き付けられ、前記左右の端部同士の重なりにおいて外側にくる一方の端部の重ね代の部分を少なくとも除いて前記突出部が前記シート部材の前記内周に設けられていてもよい。
【００１１】
これにより、蓋体の周端面とシート部材の突出部の内面との間の隙間を解消できる
【発明の効果】
【００１２】
本発明によれば、圧縮機の防音性能の低下を抑止することができる。
【図面の簡単な説明】
【００１３】
【図１】本発明の第１の実施形態である空気調和機の室外機の外観を示す斜視図である。
【図２】図１に示す空気調和機の室外機の内部構造を示す斜視図である。
【図３】図２の平面図である。
【図４】図１の室外機における圧縮機の防音構造を示す断面図である。
【図５】図５の圧縮機の防音構造における防音材シートの展開図である。
【図６】図５の防音材シートの巻き付け方法の例とその課題を説明する図である。
【図７】本発明の第２の実施形態を説明するための防音材シートの展開図である。
【図８】図７の防音材シートの巻き付け状態を示す図である。
【図９】従来の室外機における圧縮機の防音構造を示す斜視図である。
【発明を実施するための形態】
【００１４】
以下、図面を参照しながら、本発明の実施形態を説明する。
【００１５】
＜第１の実施形態＞
図１は、本発明の第１の実施形態である空気調和機の室外機の外観を示す斜視図である。
図２は、図１に示す空気調和機の室外機の内部構造を示す斜視図である。
図３は、図２の平面図である。
【００１６】
これらの図に示すように、本実施例の空気調和機の室外機１は、箱状の筐体１０を有する。筐体１０は、筐体１０の下面を形成するベース１１と、筐体１０の前面を形成する前面パネル１３と、筐体１０の側面を形成する左側パネル１４及び右側パネル１５と、筐体１０の上面を形成する天板１６とで構成される。前面パネル１３には、吹出口１３１が設けられる。吹出口１３１の外側にはファンガード１７が取り付けられている。
【００１７】
筐体１０内には、圧縮機２１、熱交換器２３、送風ファン２４および電装ユニット２５などが収納されている。
【００１８】
筐体１０の内部空間は、仕切り板２６によって主に圧縮機２１、電装ユニット２５などが配置された機械室３１と、送風ファン２４と、熱交換器２３が配置された熱交換室３２とに仕切られている。
【００１９】
熱交換器２３は、筐体１０の背面から左側の側面に沿ってＬ字型に設けられる。熱交換器２３は、互いに等間隔で平行に配置された複数のフィン２３１と、これらのフィン２３１に直交して配置される配管２３２を備える。
【００２０】
［圧縮機の防音構造］
次に、本実施形態の空気調和機の室外機１における圧縮機２１の防音構造について、図３、図４を用いて説明する。
【００２１】
機械室３１において、圧縮機２１は、底板４１に防振部材４２を介して固定されている。圧縮機２１には、保持部材４３を介してアキュムレータ２２が圧縮機２１の横隣に保持されている。底板４１は図１のベース１１であってよい。
【００２２】
アキュムレータ２２を含めた圧縮機２１の配置空間は、防音対策のため、防音材５０によって側面および上面が覆われている。
【００２３】
防音材５０は、アキュムレータ２２を含めた圧縮機２１を側面から覆うように巻き付けられた防音材シート５１と、巻き付けられた防音材シート５１の上端に形成される開口５１Ａの内側に嵌め込まれる蓋体５２とで構成される。
【００２４】
防音材シート５１は、例えば、ガラス繊維等をシート状に形成した不織布の吸音材、遮音性を有する材料(ゴム等)から形成されたシート状の遮音材、あるいは吸音材と遮音材を積層したものであってよい。
【００２５】
防音材シート５１は、アキュムレータ２２を含む圧縮機２１に巻き付けられた一定の形態を保つため、左右の端部が図示しない固定手段によって互いに固定される。固定手段としては、例えば、図９に示すような文化鋲や、両面テープ、面ファスナーなどが用いられる。
【００２６】
圧縮機２１およびアキュムレータ２２は各々円筒形状の本体を有するので、これらに巻き付けられた防音材シート５１は上から見て略楕円形状の状態になる。
【００２７】
蓋体５２は、巻き付けられた防音材シート５１の上端に形成される開口５１Ａの略楕円形状に適合した外形を有する。蓋体５２は防音材シート５１と同じ防音材で作製されたものであってよいし、別の種類の防音材で作製されたものであってもよい。
【００２８】
蓋体５２には、圧縮機２１の吐出管２１１が挿通される吐出管孔５２１、吸入管２１２が挿通される吸入管孔５２２が設けられている。また、蓋体５２には、蓋体５２の周端面から吐出管孔５２１の位置までスリット５２３、周端面から吸入管孔５２２の位置までスリット５２４がそれぞれ設けられている。蓋体５２を取付ける際には、吐出管２１１及び吸入管２１２をスリット５２３及びスリット５２４にそれぞれ通過させて吐出管孔５２１及び吸入管孔５２２に位置させる。
【００２９】
蓋体５２は、巻き付けられた防音材シート５１の上端に形成される開口５１Ａの内側に嵌め込まれる。このため蓋体５２は、作業者が上から蓋体５２を開口５１Ａ内に押し込むことによって、下から圧縮機２１およびアキュムレータ２２の上面により支えられる。
【００３０】
なお、圧縮機２１およびアキュムレータ２２の各々の最上部の高さ位置はあまり差がないことが望ましい。両者の高さ位置に大きな差があると、蓋体５２を上から押し込んだときに斜めの状態となり、蓋体５２の端面と防音材シート５１の内面との間に隙間ができやすくなるからである。また、上記の様な構成とすることで、蓋体５２の位置決めが容易となり、作業性が向上する。
【００３１】
一方、巻き付けられた防音材シート５１の内面には、蓋体５２の上面の周縁部を上から押さえることで、蓋体５２の浮き上がりを抑止するための突出部５１１が、例えば、全周にわたって設けられている。なお、突出部５１１は、必ずしも防音材シート５１の内面全周にわたって設けられる必要はない。内面全周において間隔を置いて設けられていてもよい。この突出部５１１は、蓋体５２の上面に対して略平行な面で当接するものであることが望ましい。
【００３２】
この突出部５１１は、巻き付けられた防音材シート５１の内面に、例えば次のようにして設けることができる。
【００３３】
図５は、防音材シート５１の展開状態の内側面図および断面図である。
同図に示すように、防音材シート５１の突出部５１１は、防音材シート５１の上端から一定の長さの範囲である上端部５３を、巻き付け状態において内側となる側に一回折り込み、縫い付けることによって得られる。
【００３４】
なお、防音材シート５１に突出部５１１を設ける方法は、上記のものに限定されない。例えば、独立して作製された帯状のシート部材を、防音材シート５１に固定することによって突出部５１１を形成してもよい。
【００３５】
以上、本実施形態によれば、アキュムレータ２２を含む圧縮機２１に巻き付けられた防音材シート５１の内側に設けられた突出部５１１によって、蓋体５２の上面の周縁部が上から押さえられることで、蓋体５２の浮き上がりを抑止することができる。例えば、室外機１の輸送中や運転中の振動などによって防音材シート５１が動いても、蓋体５２がずれることにより蓋体５２と防音材シート５１との隙間ができるのを防止でき、防音性能が低下することがない。
【００３６】
＜第２の実施形態＞
防音材シート５１は、複数の種類の室外機に汎用的に用いられるようにするために、巻き付けの方向の長さに余裕をもたせて製作されてもよい。
【００３７】
この場合、図６に示すように、巻き付けた状態において側面に隙間が生じないように、左右端部同士が重なるように巻き付けられる。しかし、この場合、左右端部の重なりによって開口５１Ａの形状がいびつになり、蓋体５２の周端面５２７と防音材シート５１の突出部５１１の内面５６との間に隙間５５ができてしまう。
【００３８】
その解決策として、図７および図８に示すように、防音材シート５１の左右端部同士を重ねるときに外側に来る端部の重ね代部分５７の突出部５１１を除去する方法がある。これにより、図６に示されるような、蓋体５２の周端面５２７と防音材シート５１の突出部５１１の内面５６との間の隙間５５を解消できるとともに、蓋体５２の押さえが効かない領域を減らすことができる。
【００３９】
さらに、変形例として、図６に示したように、防音材シート５１の左右端部同士の重なりによっていびつになった開口５１Ａの形状に合せて蓋体５２を作製してもよい。
【００４０】
なお、上記の実施形態では、圧縮機２１にアキュムレータ２２が保持されている構造上、アキュムレータ２２を含む圧縮機２１を防音材５０で被覆する防音構造としたが、圧縮機２１のみを単独に防音材５０で被覆する防音構造としてもよいことは言うまでもない。例えば圧縮機２１にアキュムレータ２２が直接保持されておらず、互いに十分離間している場合には、圧縮機２１のみを単独に防音材５０で被覆する防音構造を採用することができる。
【符号の説明】
【００４１】
１…室外機
２１…圧縮機
２２…アキュムレータ
４１…底板
５０…防音材
５１…防音材シート
５１Ａ…開口
５２…蓋体
５７…重ね代部分
５１１…突出部
【図１】
2015187507.tif 000003
【図２】
2015187507.tif 000004
【図３】
2015187507.tif 000005
【図４】
2015187507.tif 000006
【図５】
2015187507.tif 000007
【図６】
2015187507.tif 000008
【図７】
2015187507.tif 000009
【図８】
2015187507.tif 000010
【図９】
2015187507.tif 000011